(57)【要約】      （修正有）【課題】足場板の連結において、その端部を重ねて針金等により縛り連結すると足場板同士に段差を生じ作業者が蹴躓き転倒し怪我をすることがあり、結束は足場の設置に長時間を要し、針金等は切断し易く事故に繋がった。また足場板を連結した後、場合に連結を一時的に解き、再び連結が必要な場合があり、その足場板の連結や解除を容易に行える連結具を提供する。【解決手段】足場における足場板同士を連結する足場板連結具であって、足場板連結具Ｒは足場板と一体となるか又は足場板に装着して使用でき、連結具は分解組立ができるが、必要に応じて組立使用中でも分解が容易で再び組立が容易な板連結具は２個の連結部材１、２を備え、連結部材１は外部体１０２と内部体１０６とを有し、内部体は外部体内部を移送でき又外部体に錠止され、他方の連結部材２は一方の連結部材の内部体が移行してきた時に内部体を挿着できる受け部２００を有してなる足場板連結具。【選択図】図１
2006225981.tif 000002
【特許請求の範囲】
【請求項１】
足場における足場板と足場板とを連結する足場板連結具であって、当該足場板連結具は、当該足場板と一体となしてあるか又は当該足場板に装着して使用するもので、当該足場板連結具は、分解し又は組立てることができるが、必要に応じて当該組立て使用中でも分解が容易で再び組立が容易なようになされた足場板連結具において、当該足場板連結具は、２個の連結部材を備え、一方の連結部材は、外部体と内部体とを有してなり、当該内部体は当該外部体内部を移送でき又当該外部体に錠止されるようになっており、他方の連結部材は、前記一方の連結部材の内部体が移行してきたときに当該内部体を挿着できる受け部を有してなることを特徴とする足場板連結具。
【請求項２】
外部体が、管状体又は筒状体で内部が中空で内部体を収納できる穴部を有すると共に、内部体を移送し錠止することができる切欠部を有してなり、内部体が、当該外部体における当該切欠部を移送するのに使用できる把持部を有してなることを特徴とする、請求項１に記載の足場板連結具。
【請求項３】
他方の連結部材の受け部が、管状体又は筒状体で内部が中空で内部体を挿着できる穴部を有してなることを特徴とする、請求項１又は２に記載の足場板連結具。
【請求項４】
内部体が、バネにより外部体の穴部内で付勢されて収納されていることを特徴とする、請求項１、２又は３に記載の足場板連結具。
【請求項５】
外部体が、リング状体で構成され、内部体を収納できる穴部を有し、内部体が、適宜間隔を空けて配設された当該複数のリング状体の内部に収納されていることを特徴とする、請求項１に記載の足場板連結具。
【請求項６】
外部体が、内部体を移送し錠止することができる切欠部を有してなり、内部体が、当該外部体における当該切欠部を移送するのに使用できる把持部を有してなることを特徴とする、請求項５に記載の足場板連結具。
【請求項７】
他方の連結部材の受け部が、管状体又は筒状体で内部が中空で内部体を挿着できる穴部を有してなることを特徴とする、請求項５又は６に記載の足場板連結具。
【請求項８】
足場における足場板と足場板とを連結する足場板連結具であって、当該足場板連結具は、当該足場板と一体となしてあるか又は当該足場板に装着して使用するもので、当該足場板連結具は、分解し又は組立てることができるが、必要に応じて当該組立て使用中でも分解が容易で再び組立が容易なようになされた足場板連結具において、当該足場板連結具は、２個の連結部材を備え、一方の連結部材は、突起部を有し、当該突起部には穴部を有し、他方の連結部材は、当該一方の連結部材の突起部の穴部に挿着できるシャフト部と当該シャフト部を収納できる内部が中空の管状体又は筒状体とを有し、当該管状体又は筒状体は、当該シャフト部が当該管状体又は筒状体の内部を移動できるように切欠部を有し、当該シャフト部には当該切欠部を当該シャフト部が移送するのに使用できる把持部を有し、当該シャフト部は、当該管状体又は筒状体の内部でバネにより付勢されてなることを特徴とする足場板連結具。
【発明の詳細な説明】
【技術分野】
【０００１】
本発明は、足場板連結具に関するものである。
【背景技術】
【０００２】
建設工事現場などでは、作業床や作業員の通路などの目的で足場が組まれ、当該足場には足場板が使用される。
従来、足場板と足場板とを繋ぎ合わせるのに、例えば、図２２に示すように、一方の足場板２２００の端部と他方の足場板２２０１の端部とを重ね合わせて、針金２２０２により縛って繋ぎ合わせていた。
こうした足場板の連結方法は、足場板２２００と足場板２２０１との間に大きな段差を生じるために、作業者が蹴躓いたり、転倒して大きな怪我につながったりする。又、針金２２０２による結束は足場の設置に長時間を要したり、針金２１０２は切断しやすく事故につながったりするなどの問題があった。
一方、当該足場板と足場板とを連結した後で、必要に応じて当該足場板と足場板との連結を一時的に解き、再び連結させることが必要な場合がある。そうした場合に、従来の足場においては、なかなか容易に当該足場板と足場板との連結を一時的に解き再び連結させることは難しいのが現状である。
【発明の開示】
【発明が解決しようとする課題】
【０００３】
本発明は、上記従来技術の有する問題点を解消し得る技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）足場における足場板と足場板とを連結する足場板連結具であって、当該足場板連結具は、当該足場板と一体となしてあるか又は当該足場板に装着して使用するもので、当該足場板連結具は、分解し又は組立てることができるが、必要に応じて当該組立て使用中でも分解が容易で再び組立が容易なようになされた足場板連結具において、当該足場板連結具は、２個の連結部材を備え、一方の連結部材は、外部体と内部体とを有してなり、当該内部体は当該外部体内部を移送でき又当該外部体に錠止されるようになっており、他方の連結部材は、前記一方の連結部材の内部体が移行してきたときに当該内部体を挿着できる受け部を有してなることを特徴とする足場板連結具。
（請求項２）外部体が、管状体又は筒状体で内部が中空で内部体を収納できる穴部を有すると共に、内部体を移送し錠止することができる切欠部を有してなり、内部体が、当該外部体における当該切欠部を移送するのに使用できる把持部を有してなることを特徴とする、請求項１に記載の足場板連結具。
（請求項３）他方の連結部材の受け部が、管状体又は筒状体で内部が中空で内部体を挿着できる穴部を有してなることを特徴とする、請求項１又は２に記載の足場板連結具。
（請求項４）内部体が、バネにより外部体の穴部内で付勢されて収納されていることを特徴とする、請求項１、２又は３に記載の足場板連結具。
（請求項５）外部体が、リング状体に構成され、内部体を収納できる穴部を有し、内部体が、適宜間隔を空けて配設された当該複数のリング状体の内部に収納されていることを特徴とする、請求項１に記載の足場板連結具。
（請求項６）  外部体が、内部体を移送し錠止することができる切欠部を有してなり、内部体が、当該外部体における当該切欠部を移送するのに使用できる把持部を有してなることを特徴とする、請求項５に記載の足場板連結具。
（請求項７）他方の連結部材の受け部が、管状体又は筒状体で内部が中空で内部体を挿着できる穴部を有してなることを特徴とする、請求項５又は６に記載の足場板連結具。
（請求項８）足場における足場板と足場板とを連結する足場板連結具であって、当該足場板連結具は、当該足場板と一体となしてあるか又は当該足場板に装着して使用するもので、当該足場板連結具は、分解し又は組立てることができるが、必要に応じて当該組立て使用中でも分解が容易なようになされた足場板連結具において、当該足場板連結具は、２個の連結部材を備え、一方の連結部材は、突起部を有し、当該突起部には穴部を有し、他方の連結部材は、当該一方の連結部材の突起部の穴部に挿着できるシャフト部と当該シャフト部を収納できる内部が中空の管状体又は筒状体とを有し、当該管状体又は筒状体は、当該シャフト部が当該管状体又は筒状体の内部を移動できるように切欠部を有し、当該シャフト部には当該切欠部を当該シャフト部が移送するのに使用できる把持部を有し、当該シャフト部は、当該管状体又は筒状体の内部でバネにより付勢されてなることを特徴とする足場板連結具。
【発明の効果】
【０００５】
本発明の足場板連結具は、分解・組立が容易で、短時間に足場を構築することができ、又、足場板と足場板とは重ね合わせではなく面一に連結させることができるので、足場板と足場板との間に段差を生じることがなく、作業者が蹴躓いたり、転倒して大きな怪我につながったりすることもなく安全性を確保できる。
又、との連結を解きたいときがある。
本発明の足場板連結具は、必要に応じて当該組立て使用中に分解したい時にも、その分解は容易で、且、再度の組立も容易である。
【発明を実施するための最良の形態】
【０００６】
次に、本発明の実施例を図面に基づいて説明する。
【実施例】
【０００７】
実施例１．
図１に示すように、足場板連結具Ｒは、２個の連結部材１、２を備えてなる。
図１及び図５に示すように、一方の連結部材１には、前面のフレーム部１００と後面のフレーム部１０１との間に外部体１０２が架設されている。
当該一方の連結部材１における外部体１０２は、例えば、管状体又は筒状体で内部が中空に構成されている。
当該外部体１０２の上面には、第１の切欠部１０３が設けられ、又、当該第１の切欠部１０３の端部には、第２の切欠部１０４が連設されている。
前記のように、当該一方の連結部材１における外部体１０２は、管状体又は筒状体で内部が中空に構成されており、内部に穴部１０２０を有し、当該穴部１０２０に、内部体１０６を収納している。
当該内部体１０６は、例えば、管状体又は筒状体に構成されている。
当該内部体１０６には、把持部１０７が設けられている。当該把持部１０７は、上記の外部体１０２の上面の第１の切欠部１０３の内側に位置している。
当該内部体１０６は、図示のように、後面のフレーム部１０１からその一部が突き出している。
当該内部体１０６は、前記の外部体１０２における第１の切欠部１０３の内部を移送できる。当該内部体１０６は、後面のフレーム部１０１からその一部が突き出しているので、当該内部体１０６を他方の連結部材２側に押圧すれば外部体１０２における第１の切欠部１０３を移送できるが、当該把持部１０７により移送するようにすればより容易に移送することができる。。
外部体１０２における第２の切欠部１０４は、第１の切欠部（以下、移送用切欠部ということもある。）１０３に連設され、当該外部体１０２に周設されている。当該第２の切欠部１０４は、内部体１０６を当該外部体１０２に錠止（ロック）するのに使用される。
図２に示すように、当該内部体１０６は、外部体１０２の穴部１０２０内を移送され、他方の連結部材２の受け部２００にその一部が移送される。
図２及び図６に示すように、当該他方の連結部材２には、当該一方の連結部材１の内部体１０６が移行してきたときに、当該内部体１０６を挿着できる受け部２００が設けられている。
当該他方の連結部材における受け部２００は、当該一方の連結部材１の内部体１０６が移行してきたときに、当該内部体１０６を挿着できるように構成され、例えば、管状体又は筒状体に構成され、内部が中空に構成されている。
当該受け部２００は、一方の連結部材１における内部体１０６を収納できる穴部２０００を有し、当該穴部２０００は、当該内部体１０６と同じ内径に構成されている。
当該受け部２００は、他方の連結部材２における前面のフレーム部２０１と後面のフレーム部２０２との間に架設されている。
【０００８】
当該一方の連結部材１と他方の連結部材２とをそれぞれ足場板に装着し、又は、当該足場板と一体となして用い、図３に示すように、一方の連結部材１における内部体１０６の把持部１０７を操作して、当該把持部１０７を外部体１０２の上面の移送用切欠部１０３においてスライド（移送）させ、当該内部体１０６を他方の連結部材２の受け部２００に挿着し、図４に示すように、当該内部体１０６を外部体１０２の上面のロック用切欠部１０４にて回転させ、当該ロック用切欠部１０４にて当該内部体１０６を錠止（ロック）すると、足場板と足場板とが当該一方の連結部材１と他方の連結部材２とを介して後述するように、連結させることが出来る。当該錠止（ロック）には、例えば、ボルトとナットとの組み合わせ冶具などを使用することができる。
しかし、当該連結後に当該一方の連結部材１と他方の連結部材２とを離し、足場板と足場板との連結を解きたいときがある。
本発明では、こうした時に、上記のロックを解き、次いで、内部体１０６の把持部１０７を操作することにより、容易にこうした必要に応じて当該組立て使用中でも分解が容易なようにしてある。
図４に示すように、内部体１０６を外部体１０２の上面のロック用切欠部１０４にて逆回転させ、当該ロック用切欠部１０４にて当該内部体１０６の錠止（ロック）を解除し、次いで、一方の連結部材１における内部体１０６の把持部１０７を操作して、当該把持部１０７を外部体１０２の上面の移送用切欠部１０３において逆方向にスライド（移送）させると、当該一方の連結部材１と他方の連結部材２とを分離させ、足場板と足場板との連結を容易に解くことができる。
本発明の当該足場板連結具Ｒは、分解し又は組立てることができると共に、必要に応じて当該組立て使用中でも分解が容易なようになされている。
【０００９】
実施例２．
図７及び図８に示す実施例は、前記の実施例１と略同様であり、図７に示すように、足場板連結具Ｒは、２個の連結部材１、２を備えてなる。
図７及び図８に示すように、一方の連結部材１には、前面のフレーム部１００と後面のフレーム部１０１との間に外部体１０２が架設され、当該一方の連結部材１における外部体１０２は、例えば、管状体又は筒状体で内部が中空に構成され、内部に穴部１０２０を有し、当該穴部１０２０には、例えば管状体又は筒状体に構成された内部体１０６を収納しており、当該外部体１０２の上面には、第１の切欠部１０３が設けられ、又、当該第１の切欠部１０３の端部には、第２の切欠部１０４が設けられている。
当該内部体１０６には、前記の実施例１と同様に外部体１０２の上面の第１の切欠部１０３の内側に位置して把持部１０７が設けられている。
当該内部体１０６は、前記の外部体１０２における第１の切欠部１０３を移送される。
外部体１０２における第２の切欠部１０４は、第１の切欠部（移送用切欠部）１０３に連設され、当該外部体１０２に周設されている。当該第２の切欠部１０２は、内部体１０６を当該外部体１０２に錠止（ロック）するのに使用される。当該錠止（ロック）には、例えば、ボルトとナットとの組み合わせ冶具などを使用することができる。
図８に示すように、当該内部体１０６は、外部体１０２の穴部１０２０内を移送され、他方の連結部材２の受け部２００にその一部が移送される。
図７及び図８に示すように、当該他方の連結部材２には、当該一方の連結部材１の内部体１０６が移行してきたときに、当該内部体１０６を挿着できる受け部２００が設けられている。
当該他方の連結部材２における受け部２００は、当該一方の連結部材１の内部体１０６が移行してきたときに、当該内部体１０６を挿着できるように構成され、例えば、管状体又は筒状体に構成され、内部が中空に構成されている。
当該受け部２００は、一方の連結部材１における内部体１０６を収納できる穴部２０００を有し、当該穴部２０００は、当該内部体１０６と同じ内径に構成されている。
前記の実施例１とは異なり、当該内部体１０６は、図示のように、後面のフレーム部１０１からその一部が突き出していず、外部体１０２の内部に、バネ１０８により付勢されて収納されている。
前記の実施例１と同様に、当該一方の連結部材１と他方の連結部材２とをそれぞれ足場板に装着し、又は、当該足場板と一体となして用い、図９に示すように、一方の連結部材１における内部体１０６の把持部１０８を操作して、当該把持部１０８を外部体１０２の上面の移送用切欠部１０３においてスライド（移送）させ、当該内部体１０６を他方の連結部材２の受け部２００に挿着すると、当該足場板と足場板とを当該一方の連結部材１と他方の連結部材２とを介して連結させることが出来る。
図示が省略されているが、前記の実施例１と同様に、当該内部体１０６を外部体１０２の上面のロック用切欠部１０３にて回転させ、当該ロック用切欠部１０３にて当該内部体１０６を錠止（ロック）すると、当該足場板と足場板とが当該一方の連結部材１と他方の連結部材２とを介して連結させることが出来る。
しかし、当該連結後に当該一方の連結部材１と他方の連結部材２とを離し、足場板と足場板との連結を解きたいときがある。
本発明では、こうした時に、上記のロックを解き、次いで、内部体１０６の把持部１０８を操作することにより、容易にこうした必要に応じて当該組立て使用中でも分解が容易なようにしてある。
図示が省略されているが、前記の実施例１と同様に、内部体１０６を外部体１０２のロック用切欠部１０４にて逆回転させ、当該ロック用切欠部１０４にて当該内部体１０６の錠止（ロック）を解除し、次いで、一方の連結部材１における内部体１０６の把持部１０８を操作して、当該把持部１０８を外部体１０２の移送用切欠部１０３において逆方向にスライド（移送）させると、当該一方の連結部材１と他方の連結部材２とを分離させ、足場板と足場板との連結を容易に解くことができる。
実施例２において、内部体１０６は、外部体１０２の内部にバネ１０８により付勢されて収納されているので、当該連結や当該連結の解除をより一層容易にすることが出来る。
実施例２にも示すように、本発明の当該足場板連結具Ｒは分解し又は組立てることができると共に、必要に応じて当該組立て使用中でも分解が容易なようになされている。
【００１０】
実施例３．
図１０に示す実施例は、前記実施例とは異なり、外部体１０２を前面のフレーム部と後面のフレーム部との間に架設されるようなパイプなどの管状体などを使用しないように簡素化したもので、外部体１０２がリング状体で構成され内部体１０６を収納できる穴部１０２０を有し、内部体１０６が適宜間隔を空けて配設された当該複数のリング状体１０２の内部に収納されてなる実施例を示す。
外部体１０２の上面には、切欠部１０９が設けられ、内部体１０６が、当該切欠部１０９を移送できるようになっている。
当該内部体１０６には、把持部１０７が設けられている。当該把持部１０７は、当該外部体１０２の端部の切欠部１０９の内側に位置している。
図１１に示すように、内部体１０６が、当該リング状の外部体１０２の切欠部１０９を移送して、他方の連結部材２の受け部２００に一部が挿着される。
当該他方の連結部材２における受け部２００は、当該一方の連結部材１の内部体１０６が移行してきたときに、当該内部体１０６を挿着できるように構成され、例えば、管状体又は筒状体に構成され、内部が中空に構成され、一方の連結部材１における内部体１０６を収納できる穴部２０００を有し、当該穴部２０００は、当該内部体１０６と同じ内径に構成されているなど、適宜前記実施例の機能を使用することが出来る。
リング状の外部体１０２における上記の切欠部１０９は、移送用切欠部として使用できるし、図１２（Ａ）に示すように、内部体１０６を当該外部体１０２に錠止（ロック）するのに使用することもできる。当該錠止（ロック）には、例えば、ボルトとナットとの組み合わせ冶具などを使用することができる。
図１２（Ｂ）に示すように、当該外部体１０２の周囲に上記移送・ロック用切欠部１０９に連設して第２の切欠部１１０を設け、前期実施例のように、当該錠止（ロック）冶具を回転させて、内部体１０６を当該外部体１０２に錠止（ロック）するようにしてもよい。
図１１に示すように、当該一方の連結部材１には、リブ部１１１を設け、リング状の外部体１０２を支持するようにしている。
当該リブ部１１１は、繋がれた足場板表面を作業者が歩くときに、一方の連結部材１及び他方の連結部材２における、作業者の体重などを支え補強することもできる。
【００１１】
当該一方の連結部材１と他方の連結部材２とをそれぞれ足場板に装着し、又は、当該足場板と一体となして用い、図１０及び図１１に示すように、一方の連結部材１における内部体１０６の把持部１０７を操作して、当該把持部１０７を外部体１０２の移送・ロック用切欠部１０９においてスライド（移送）させ、当該内部体１０６を他方の連結部材２の受け部２００に挿着し、図１２（Ａ）に示すように、当該移送・ロック用切欠部１０２にて当該内部体１０６を錠止（ロック）し、又は、図１２（Ｂ）に示すように、当該内部体１０６を外部体１０２の当該移送・ロック用切欠部１０９の位置にて回転させ、当該内部体１０６を第２の切欠部１１０において錠止（ロック）すると、当該足場板と足場板とを、当該一方の連結部材１及び他方の連結部材２を介して連結させることが出来る。
しかし、当該連結後に当該一方の連結部材１と他方の連結部材２とを離し、足場板と足場板との連結を解きたいときがある。
本発明では、こうした時に、内部体１０６の把持部１０７を操作することにより、容易にこうした必要に応じて当該組立て使用中でも分解が容易なようにしてある。
内部体１０６を外部体１０２の移送・ロック用切欠部１０９におけるロックを解き、又は、第２の切欠部１１０にて内部体１０６を逆回転させ、当該第２の切欠部１１０にて当該内部体の錠止（ロック）を解除し、次いで、一方の連結部材１における内部体１０６の把持部１０７を操作して、当該把持部１０７を外部体１０２の移送・ロック用切欠部１０９において逆方向にスライド（移送）させると、当該一方の連結部材１と他方の連結部材２とを分離させ、足場板と足場板との連結を容易に解くことができる。
本発明の当該足場板連結具は分解し又は組立てることができると共に、必要に応じて当該組立て使用中でも分解が容易なようになされている。
【００１２】
実施例４．
図１３に示すように、足場板連結具Ｒは、２個の連結部材１、２を備えてなる。
一方の連結部材１は、本体部１１２と突起部１１３とを有してなり、本体部１１２の他方の連結部材２との対向面側に突起部１１３を突設している。当該突起部１１３には穴部１１３０を有する。
当該一方の連結部材１における当該突起部１１３は左右に２箇所設けられている。
他方の連結部材２は、本体部２０１とシャフト部２０２と当該シャフト部を収納できる内部が中空の例えば管状体又は筒状体よりなる外部体２０３と一方の連結部材１における突起部１１３を装着できる装着部２０４と蓋部２０５とを有してなる。
当該外部体２０３には、切欠部２０３０を有する。
当該シャフト部２０２には当該切欠部２０３０を当該シャフト部が移送するのに使用できる把持部２０２０が設けられている。いる。
当該外部体２０３の内部にはバネ２０６が設けられ、両側のシャフト部２０２を当該バネ２０６により付勢されている。
図１３及び図１５（Ａ）では、当該他方の連結部材２のシャフト部２０２が、当該一方の連結部材１の突起部１１３の穴部１１３０に挿着されている。
図１４及び図１５（Ｂ）に示すように、当該シャフト部２０２の把持部２０２０を手に持って内側に引っ張ると、当該シャフト部２０２が、当該当該外部体２０３の切欠部２０３０を移動して、図１５（Ｃ）に示すように、当該シャフト部２０２が、一方の連結部材１の突起部１１３の穴部１１３０から離脱することができ、一方の連結部材１と他方の連結部材２との連結を解くことができる。
図１４に示す状態から、当該シャフト部２０２の把持部２０２０を手に持って下の方向に引っ張ると、当該シャフト部２０２が、当該外部体２０３の切欠部２０３０を移動して、当該シャフト部２０２が、一方の連結部材１の突起部１１３の穴部１１３０に挿着され、再び、図１３に示すように、一方の連結部材１と他方の連結部材２とを連結させることができる。
図１３及び図１４に示すように、他方の連結部材２には、蓋部２０５を有する。当該蓋部２０５は、蝶番部２０５０により開閉可能となっている。
図１６に示すように、蓋部２０５を閉じると、シャフト部２０２などを覆うことができる。
【００１３】
足場板連結具Ｒは、その一方の連結部材１と他方の連結部材２とを連結させると、足場板と足場板とを連結させることが出来る。
図２１（Ａ）は、足場板３の表面図で、図５（Ｂ）は、足場板３の裏面図である。
当該各足場板３Ａ、３Ｂの端部に各連結部材１、２を装着する方法の一例を説明する。
図１７は、図１に示す足場板連結具Ｒを装着使用する例を示す。
図１７（Ａ）に示すように、当該足場板３Ａの連結しようとする端部の側面部に沿って当該足場板３Ａの内部に一方の連結部材１の側面部を装着するなどして、当該足場板３Ａの端部に一方の連結部材１を装着する。
図１７（Ａ）に示すように、当該足場板３Ｂの連結しようとする端部の側面部に沿って当該足場板３Ａの内部に他方の連結部材２の側面部を装着するするなどして、当該足場板３Ａの端部に一方の連結部材１を装着する。
図１７（Ａ）に示すように、当該一方の連結部材１及び他方の連結部材２は、各足場板３Ａ、３Ｂの裏面側から装着する。
足場の使用に際しては、図１７（Ｂ）に示すように、装着した各足場板の表面側を使用する。
当該足場板３Ａ及び３Ｂには、その図示が省略されているが、各々連結部材１、２と取付固定するための固定穴（取付穴）が開けられている。又、必要に応じて、当該一方の連結部材１と他方の連結部材２には、当該連結部材１と他方の連結部材２とを取付固定するための固定穴（取付穴）も開けられている。当該取付固定には、ボルト・ナットなどの締結部材が使用でき、当該ボルト・ナットなどの締結部材を挿通させて、足場板３Ａ及び３Ｂに各々連結部材１、２を取付固定したり、又、一方の連結部材１と他方の連結部材２とを締結固定させることができる。
図１７（Ｃ）に示すように、一方の連結部材１と他方の連結部材２とをそれぞれ足場板３Ａ、３Ｂに装着後、一方の連結部材１における内部体１０６の把持部１０７を操作して、当該把持部１０７を外部体１０２の移送用切欠部１０３においてスライド（移送）させ、当該内部体１０６を他方の連結部材２の受け部２００に挿着し、前記の図４に示すように、当該内部体１０６を外部体１０２のロック用切欠部１０４にて回転させ、当該ロック用切欠部１０４にて当該内部体１０６を錠止（ロック）すると、当該足場板３Ａと足場板３Ｂとが当該一方の連結部材１と他方の連結部材２とを介して連結させることが出来る。
当該連結後に当該一方の連結部材１と他方の連結部材２とを離し、足場板３Ａと足場板３Ｂとの連結を解きたい時には、内部体１０６を外部体１０２のロック用切欠部１０４にて逆回転させ、当該ロック用切欠部１０４にて当該内部体１０６の錠止（ロック）を解除し、次いで、一方の連結部材１における内部体１０６の把持部１０７を操作して、当該把持部１０７を外部体１０２の移送用切欠部１０３において逆方向にスライド（移送）させると、当該一方の連結部材１と他方の連結部材２とを分離させ、足場板３Ａと足場板３Ｂとの連結を容易に解くことができる。
本発明の当該足場板連結具Ｒは分解し又は組立てることができると共に、必要に応じて当該組立て使用中でも分解が容易なようになされている。又、分解後も再び容易に組み立てることが出来る。
足場の使用に際しては、図１７（Ｂ）に示すように、装着した各足場板３Ａ、３Ｂの表面側を使用するので、当該一方の連結部材１と他方の連結部材２とを分離させ、足場板と足場板との連結を解くには、足場板の裏面側から把持部１０７などを操作することになるが、足場では、何段にも連結した足場板が上下に構築されるので、下方向からの操作も容易である。
【００１４】
図１８は、図１０に示す足場板連結具Ｒを用いて、足場板と足場板とを連結させる装着方法の一例を示す。
図１８（Ａ）に示すように、当該足場板３Ａの連結しようとする端部の側面部に沿って当該足場板３Ａの内部に一方の連結部材１の側面部を装着する。
同様に、当該足場板３Ｂの連結しようとする端部の側面部に沿って当該足場板３Ａの内部に他方の連結部材２の側面部を装着する。
図１８（Ａ）に示すように、当該一方の連結部材１及び他方の連結部材２は、各足場板３Ａ、３Ｂの裏面側から装着することが出来る。
足場の使用に際しては、図１８（Ｂ）に示すように、装着した各足場板の表面側を使用する。
当該足場板３Ａ及び３Ｂには、その図示が省略されているが、各々連結部材１、２と取付固定するための固定穴（取付穴）が開けられている。又、必要に応じて、当該連結部材１と他方の連結部材２には、当該連結部材１と他方の連結部材２とを取付固定するための固定穴（取付穴）も開けられている。
図１８（Ｃ）に示すように、一方の連結部材と他方の連結部材とをそれぞれ足場板に装着後、一方の連結部材における内部体の把持部を操作して、当該把持部を外部体の上面の移送用切欠部においてスライド（移送）させ、当該内部体を他方の連結部材の受け部に挿着し、前記のように、当該内部体を錠止（ロック）すると、当該足場板と足場板とが当該一方の連結部材と他方の連結部材とを介して連結させることが出来る。
当該連結後に当該一方の連結部材と他方の連結部材とを離し、足場板と足場板との連結を解きたい時には、当該内部体の錠止（ロック）を解除し、次いで、一方の連結部材における内部体の把持部を操作して、当該把持部を外部体の移送用切欠部において逆方向にスライド（移送）させると、当該一方の連結部材と他方の連結部材とを分離させ、足場板と足場板との連結を容易に解くことができる。
【００１５】
図１９及び図２０は、図１３に示す足場板連結具Ｒを用いて、足場板と足場板とを連結させる装着方法の一例を示す。
図１９（Ａ）に示すように、一方の連結部材１及び他方の連結部材２を、各足場板３Ａ、３Ｂの裏面側から装着する。
図１９（Ａ）に示すように、他方の連結部材２におけるシャフト部２０２の把持部２０２０を手に持って引っ張ると、当該シャフト部２０２が、外部体２０３の切欠部２０３０を移動して、図１９（Ｂ）に示すように、当該シャフト部２０２が、一方の連結部材１の突起部１１３の穴部１１３０から離脱する。
図１９（Ｃ）に示すように、当該シャフト部２０２の把持部２０２０を手に持って操作すると、当該シャフト部２０２が、外部体２０３の切欠部２０３０を移動して、当該シャフト部２０２が、一方の連結部材１の突起部１１３の穴部１１３０に挿着され、再び、図２０（Ａ）に示すように、一方の連結部材１と他方の連結部材２とを連結させ、足場板３Ａと足場板３Ｂとを連結させることができる。
足場での使用に際し、必要に応じて、一方の連結部材１及び他方の連結部材２とを離したいときには、当該シャフト部２０２の把持部２０２０を手に持って操作し、当該シャフト部２０２を、外部体２０３の切欠部２０３０内部を移動させて、当該シャフト部２０２を、一方の連結部材１の突起部１１３の穴部１１３０から外すせば、再び、図２０（Ｂ）に示すように、一方の連結部材１と他方の連結部材２との連結を解き、足場板３Ａと足場板３Ｂとの連結も解除できる。
【００１６】
上記では、各足場板３Ａ、３Ｂの端部に各々一方の連結部材１及び他方の連結部材２を装着していたが、各足場板３Ａ、３Ｂの端部に各々一方の連結部材１及び他方の連結部材２を、予じめ、一体に組込した足場構成部材を製造しておけば、工事現場で、その都度、当該一方の連結部材１及び他方の連結部材２を足場板３Ａ、３Ｂに組込む必要がないので、足場を更により一層容易・短時間に構築することができる。
当該一方の連結部材１及び他方の連結部材２を各足場板３Ａ、３Ｂから取外し可能なようにしておいてもよい。
上記のように、当該各足場板３Ａ、３Ｂと各他方の連結部材２とからなる足場構成部材を一体に製造する場合、当該他方の連結部材２の側面部や前記リブ部１１１を適宜省略させることもできる。
又、一方の連結部材１及び各他方の連結部材２の正面部を適宜省略することもできる。
【００１７】
本発明は上記実施例に限定されず、適宜変更が可能であり、例えば、前記実施例では、２個の連結部材で足場板連結具を構成する例を示したが、３個以上としてもよい。
【産業上の利用可能性】
【００１８】
本発明の足場板連結具は、建築工事の他、土木工事、電気工事、管工事、左官工事などの建設業法に定められた各種工事などに適用される。
【図面の簡単な説明】
【００１９】
【図１】本発明の実施例を示す足場板連結具の組立時の一例平面図である。
【図２】本発明の実施例を示す足場板連結具の分解時の一例平面図である。
【図３】（Ａ）、（Ｂ）それぞれ本発明の実施例を示す足場板連結具の操作方法の一例断面図である。
【図４】（Ａ）、（Ｂ）それぞれ本発明の実施例を示す足場板連結具の操作方法の一例断面図である。
【図５】本発明の実施例を示す足場板連結具の一方の連結部材の一例斜視図である。
【図６】本発明の実施例を示す足場板連結具の他方の連結部材の一例斜視図である。
【図７】本発明の他の実施例を示す足場板連結具の組立時の一例平面図である。
【図８】本発明の他の実施例を示す足場板連結具の組立時の一例平面図である。
【図９】（Ａ）、（Ｂ）それぞれ本発明の他の実施例を示す足場板連結具の操作方法の一例断面図である。
【図１０】本発明の更に他の実施例を示す足場板連結具の組立時の一例平面図である。
【図１１】本発明の更に他の実施例を示す足場板連結具の分解時の一例平面図である。
【図１２】（Ａ）、（Ｂ）それぞれ本発明の更に他の実施例を示す足場板連結具の操作方法の一例断面図である。
【図１３】本発明の更に又他の実施例を示す足場板連結具の組立時の一例平面図である。
【図１４】本発明の更に又他の実施例を示す足場板連結具の分解時の一例平面図である。
【図１５】（Ａ）（Ｂ）、（Ｃ）それぞれ本発明の更に又他の実施例を示す足場板連結具の操作方法の一例断面図である。
【図１６】本発明の更に又他の実施例を示す足場板連結具の蓋部を閉じた状態の一例平面図である。
【図１７】（Ａ）、（Ｂ）、（Ｃ）それぞれ本発明の実施例を示す足場板連結具の使用方法の一例平面図である。
【図１８】（Ａ）、（Ｂ）、（Ｃ）それぞれ本発明の他の実施例を示す足場板連結具の使用方法の一例平面図である。
【図１９】（Ａ）、（Ｂ）それぞれそれぞれ本発明の更に他の実施例を示す足場板の一例平面図である。
【図２０】（Ａ）、（Ｂ）それぞれ本発明の更に又他の実施例を示す足場板連結具の使用方法の一例平面図である。
【図２１】（Ａ）、（Ｂ）それぞれ本発明で使用される足場板の一例平面図である。
【図２２】従来例の説明図である。
【符号の説明】
【００２０】
１    一方の連結部材
２    他方の連結部材
３    足場板
１０２  外部体
１０６  内部体
２００  受け部
Ｒ    足場板連結部材
【図１】
2006225981.tif 000003
【図２】
2006225981.tif 000004
【図３】
2006225981.tif 000005
【図４】
2006225981.tif 000006
【図５】
2006225981.tif 000007
【図６】
2006225981.tif 000008
【図７】
2006225981.tif 000009
【図８】
2006225981.tif 000010
【図９】
2006225981.tif 000011
【図１０】
2006225981.tif 000012
【図１１】
2006225981.tif 000013
【図１２】
2006225981.tif 000014
【図１３】
2006225981.tif 000015
【図１４】
2006225981.tif 000016
【図１５】
2006225981.tif 000017
【図１６】
2006225981.tif 000018
【図１７】
2006225981.tif 000019
【図１８】
2006225981.tif 000020
【図１９】
2006225981.tif 000021
【図２０】
2006225981.tif 000022
【図２１】
2006225981.tif 000023
【図２２】
2006225981.tif 000024